(57)【特許請求の範囲】
【請求項１】
同一断面形状の上部弦材及び下部弦材のうち一方が他方の中にトラスの軒線で逆さまに重ね合わされ、前記弦材は、それぞれ垂直ウエブと、第１の水平方向にある前記ウエブの端部の一方から延在する小フランジと、前記第１方向とは反対の水平方向にある前記ウエブの他方の端部から延在し、垂直の返しで終端する大フランジとを有し、前記各垂直ウエブが近接して隣接し、それぞれの小フランジが他方の弦材の大フランジ及び返しの中に重ね合わされるように、一方の弦材が他方の弦材に対して逆さまとなっているトラスに用いるトラス固定方法であって、前記トラス固定方法は、
前記下部弦材の大フランジにスロットを形成するステップと、
前記下部弦材の前記大フランジに形成された前記スロットを介して下方に延在する下方延在部を含み、ウオールフレームに結合するように配置された結合部材を、近接して隣接する弦材のウエブ間に配置するステップとを含むトラス固定方法。
【請求項２】
同一断面形状の上部弦材及び下部弦材であって、前記弦材のうち一方が他方の中にトラスの軒線で逆さまに重ね合わされ、前記弦材は、それぞれ垂直ウエブと、第１の水平方向にある前記ウエブの端部の一方から延在する小フランジと、前記第１方向とは反対の水平方向にある前記ウエブの他方の端部から延在し、垂直の返しで終端する大フランジとを有し、前記各垂直ウエブが近接して隣接し、それぞれの小フランジが他方の弦材の大フランジ及び返しの中に重ね合わされ、前記下部弦材の大フランジにスロットが形成されるように、一方の弦材が他方の弦材に対して逆さまとなっている上部弦材及び下部弦材と、
前記上部弦材及び下部弦材の近接して隣接するウエブ間に配置され、前記スロットを介して延在し、ウオールフレームへの結合のために配置された延在部を含む結合部材とを備えたトラス。
【請求項３】
前記結合部材は、前記スロットの端部に隣接する前記下部弦材の大フランジの上に載置するように配置される肩部を含む請求項２に記載のトラス。
【請求項４】
前記結合部材は、前記ウエブと前記結合部材自体とを介して延在する固定部材によって確実に位置を定められる請求項２に記載のトラス。
【請求項５】
前記固定部材は、前記ウエブと前記結合部材に形成された相補的突起を介して延在していることを特徴とする請求項４に記載のトラス。
【請求項６】
トラスを建築用フレームに固定する方法であって、前記方法は、
前記トラスの弦材にスロットを画成するステップと、
前記スロットを介して下方に延在する下方延在部を含む結合部材をトラスに固定するステップと、
前記結合部材の前記下方延在部を前記建築用フレームに固定するステップとを含むトラスを建築用フレームに固定する方法。
【請求項７】
軒線で出会う頂部弦材及び底部弦材と、
前記底部弦材に形成されたスロットと、
前記スロットを介して下方に延在する下方延在部を含み、トラスを建築用フレームに固定する結合部材とを備えたトラス。
【請求項８】
トラス内の弦材のスロットを介して延在するように配置された舌状部と、
前記スロットの端部に隣接する弦材に載置するように配置された肩部と
固定部材を受け入れる開口部とを備えたトラスを建築用フレームに固定する結合部材。
【請求項９】
ウオールフレームの留め具に固定するために配置された下方に延在する結合部材を有するトラスを設けるステップと、
前記ウオールフレームの頂部プレートにスロットを形成するステップであって、前記スロットは前記スロット自体を介して前記結合部材を受けるように配置されている、スロットを形成するステップと、
前記結合部材を前記ウオールフレームの留め具に固定するステップと、
を含むトラス固定方法。
【請求項１０】
トラス及びウオールフレーム組立体であって、前記トラスは、下方に延在する接続部材を有し、前記結合部材は、前記ウオールフレームの頂部プレートに形成されたスロットを介して受けられ、前記結合部材は、前記ウオールフレームの留め具に固定されている、トラス及びウオールフレーム組立体。
【請求項１１】
前記結合部材は、前記スロットの端部に隣接する前記下部弦材の大フランジの上に載置するように配置される肩部を含む請求項１に記載のトラス固定方法。
【請求項１２】
前記結合部材は、前記ウエブと前記結合部材自体とを介して延在する固定部材によって確実に位置を定められる請求項１に記載のトラス固定方法。
【請求項１３】
前記固定部材は、前記ウエブと前記結合部材に形成された相補的突起を介して延在していることを特徴とする請求項１２に記載のトラス固定方法。
【発明の詳細な説明】
【０００１】
【技術分野】
本発明は、特に、上部及び下部弦材がトラスの軒の線で、一方が他方の中に逆さまになって入れ子様になって配置されているトラスに適したトラス固定方法、トラス固定装置に関する。
【０００２】
上部及び下部弦材がトラスの軒の線で、一方が他方の中に逆さまになって入れ子になって配置されているトラスは、本願出願人による、１９９８年１１月５日に国際公開された国際特許出願ＰＣＴ／ＡＵ９８／００３１６に開示されている。
【０００３】
本発明の完全な理解のためには国際特許出願ＰＣＴ／ＡＵ９８／００３１６を参照する必要がある。
【０００４】
【背景技術】
本発明の同じ出願人の国際特許出願ＰＣＴ／ＡＵ９８／００３１６には、およそ同一断面のＺ形の一対の弦材を提供することが記載されている。このＺ形弦材は、垂直ウエブと、垂直の返しで終端する水平小フランジと、垂直の返しで終端する、上記小フランジとは反対側に向いた水平大フランジとを有する。
【０００５】
この国際特許出願ＰＣＴ／ＡＵ９８／００３１６には、２つの同一断面の弦材のうちの一方を逆さまにすることが記載されており、それによって一方の弦材を他方の弦材の中に軒線で重ね合わせることができ、それぞれのウエブは隣接し、一方の弦材の小フランジと返しとはそれぞれ他方の弦材の大フランジと返しの中に重ね合わされる。
【０００６】
本発明は、特に国際特許出願ＰＣＴ／ＡＵ９８／００３１６に記載のトラスシステムに用いるのに適しているが、それに限られないトラスの固定方法及び固定装置を提供する。
【０００７】
【発明の開示】
本発明の第１の態様のトラス固定方法は、同一断面形状の上部弦材及び下部弦材のうち一方が他方の中にトラスの軒線で逆さまに重ね合わされ、前記弦材は、それぞれ垂直ウエブと、第１の水平方向にある前記ウエブの端部の一方から延在する小フランジと、前記第１方向とは反対の水平方向にある前記ウエブの他方の端部から延在し、垂直の返しで終端する大フランジとを有し、前記各垂直ウエブが近接して隣接し、それぞれの小フランジが他方の弦材の大フランジ及び返しの中に重ね合わされるように、一方の弦材が他方の弦材に対して逆さまとなっているトラスに用いるトラス固定方法であって、前記トラス固定方法は、
前記下部弦材の大フランジにスロットを形成するステップと、
前記下部弦材の前記大フランジに形成された前記スロットを介して下方に延在する下方延在部を含み、ウオールフレームに結合するように配置された結合部材を、近接して隣接する弦材のウエブ間に配置するステップとを含む。
【０００８】
また、本発明の別の態様によるトラスは、同一断面形状の上部弦材及び下部弦材であって、前記弦材のうち一方が他方の中にトラスの軒線で逆さまに重ね合わされ、前記弦材は、それぞれ垂直ウエブと、第１の水平方向にある前記ウエブの端部の一方から延在する小フランジと、前記第１方向とは反対の水平方向にある前記ウエブの他方の端部から延在し、垂直の返しで終端する大フランジとを有し、前記各垂直ウエブが近接して隣接し、それぞれの小フランジが他方の弦材の大フランジ及び返しの中に重ね合わされ、前記下部弦材の大フランジにスロットが形成されるように、一方の弦材が他方の弦材に対して逆さまとなっている上部弦材及び下部弦材と、
前記上部弦材及び下部弦材の近接して隣接するウエブ間に配置され、前記スロットを介して延在し、ウオールフレームへの結合のために配置された延在部を含む結合部材とを備える。
【０００９】
本発明のさらに別の態様のトラスを建築用フレームに固定する方法は、
前記トラスの弦材にスロットを画成するステップと、
前記スロットを介して下方に延在する下方延在部を含む結合部材をトラスに固定するステップと、
前記結合部材の前記下方延在部を前記建築用フレームに固定するステップとを含む。
【００１０】
本発明のまたさらに別の態様のトラスは、軒線で出会う頂部弦材及び底部弦材と、
前記底部弦材に形成されたスロットと、
前記スロットを介して下方に延在する下方延在部を含み、トラスを建築用フレームに固定する結合部材とを備える。
【００１１】
本発明のまた別の態様のトラスを建築用フレームに固定する結合部材は、トラス内の弦材のスロットを介して延在するように配置された舌状部と、
前記スロットの端部に隣接する弦材に載置するように配置された肩部と
固定部材を受け入れる開口部とを備える。
【００１２】
【発明を実施するための最良の形態】
まず、図１を参照すると、トラスの軒線で一方の弦材が他方の弦材の中に逆さまに重ね合わせるように配置された実質的に同一のＺ形断面を有する一対の弦材が記載されている。
【００１３】
さらに、弦材それ自体の形状の記載については、国際特許出願ＰＣＴ／ＡＵ９８／００３１６を参照されたい。
この国際特許出願ＰＣＴ／ＡＵ９８／００３１６に記載されているように、下部弦材は通常水平であり、上部弦材は建築家や建築業者によって指示された勾配で傾斜させられている。２つを重ねた場合には、上部及び下部弦材は、それぞれの弦材のウエブを介して貫くボルト等の固定部材によって容易に結合固定することができる。
【００１４】
図１において用いる参照符号には「ｕ」と「ｌ」を付して、、「上部」の部材と「下部」の部材であることを、それぞれを表している。
【００１５】
各弦材１０は、ウエブ１２と、返し２０で終端する小フランジ１４と、返し１８で終端する大フランジ１６とを備える。垂直のウエブ１２は傾斜させたウエブ部２２を介して水平の大フランジ１６と接続されている。
【００１６】
図２を参照すると、結合部材３０は、上部弦材１０ｕのウエブ１２ｕと、下部弦材１０ｌのウエブ１２ｌとの間に挟み込んで使用される。
【００１７】
結合部材３０は、開口部４０が形成され、プレス領域が画成されている上頭部３２を含んでいる。また、結合部材３０は、下方に延在している舌状部３４を含んでいる。この舌状部３４は、結合部材３０を壁フレームまたはこれに類するもの（図２では図示せず）に固定するためのネジを受けるのに使用される開口部４２を含んでいる。
【００１８】
また、結合部材３０は、一対の肩部３６を含んでおり、この肩部３６で結合部材３０の上頭部３２と下部の舌状部３４との間の境界を明らかにしている。
【００１９】
図２で点線で示したように、結合部材３０は、舌状部３４が下部弦材１０ｌの大フランジ１６ｌに形成されたスロット５０を介して下方に延在するように配置されている。図２に示すように、結合部材３０の肩部３６は、スロット５０の端部に隣接する下部弦材１０ｌの大フランジ１６ｌの上に置かれる。
【００２０】
図に示すように、上部弦材のウエブ１２ｕと下部弦材のウエブ１２ｌとは、弦材と結合部材３０とをお互いに関して配置することを形状面で補助するように、また、弦材と結合部材との間のせん断変形を改善するように、それぞれプレスされ、開口されている。
【００２１】
また、ボルト４４は上部弦材のウエブ１２ｕに形成されたプレス領域５２に置かれる。ボルト４４は、使用時には上部弦材のウエブ１２ｕを貫いて延在し、結合部材３０の上頭部３２を貫き、下部弦材のウエブ１２ｌを貫く。ナット４６は、ボルト４４と協働するように用意される。
【００２２】
容易にわかるように、突出部あるいは肉厚部はプレス領域５２からウエブ１２ｕの相対する両面に画成される。この肉厚部は、結合部材のプレス領域３８で受けられる。同様に、結合部材３０の反対側に画成された肉厚部は、下部弦材１２ｌに形成されたプレス領域で受けられる。
【００２３】
本発明の重要な利点は、結合部材３０が上部弦材及び下部弦材の中心に配置されていることである。それゆえに結合部材３０の舌状部３４は、トラスの中央の部分から下方に延在し、それによって弦材をねじったり曲げることなく直接に弦材を移動させることができる。これにより重要な構造的利点を得ることができる。
【００２４】
図３及び図４に、トラスから下方に延在している舌状部３４を含む結合部材３０を備えて組み立てられたトラスを示す。
【００２５】
図５及び図６によれば、結合部材３０の別の形態が示されている。図５では、肩部３６は強度を改善するために、また、結合部材の肩部と下部弦材の大フランジ１６ｌとの間の強い軸受けや接触面を提供するために波形にされている。同様に、図６では、肩部は縁取り形状となるよう向かい合ってプレスされている。
【００２６】
図７に、結合部材３０が下部弦材と２箇所でボルト留めされ、上部弦材と２箇所でボルト留めされている本発明の第２の実施の形態を示す。この目的のために結合部材３０は、さらに一対の開口部２６、２８を含む。開口部２６は、プレス領域２４と下部弦材に設けられた開口部とを一直線にするプレス領域２４に形成される。比較すると、開口部２８は、スロット形状であり、上部弦材に形成され、プレス領域で囲まれていない開口部と協働するように配置されている。
【００２７】
容易に理解されるように、開口部のスロットの特性として、限界範囲内で変化させる必要のある上部弦材の勾配、したがって屋根の勾配に余裕を持たせることができる。
【００２８】
図７及び図８によれば、ウオールフレームは、垂直のびょう５６と水平頂部プレート４８とからなるものとして図示してある。頂部プレート４８は、箇所５４でうまくはめ込まれて結合部材３０の下方に延在する舌状部３４を受け入れて、該舌状部３４を図示されたネジを通してびょうで固定することができる。結合部材をトラスに関して中央に配置することで、ねじれや回転を与えることなく負荷をびょうに直接加えることができる。
【００２９】
最後に、図９及び図１０によれば、図５及び図６と類似する別の結合部材を示している。特に、図９には結合部材の肩部に波形をつけた結合部材が記載されており、図１０には相対する箇所に縁取り形状が設けられた結合部材が記載されている。
【００３０】
当然のことであるが、上述の実施の形態は本発明の説明に役立つ具体例である。あらゆる変形例、改変例、あるいは省略は、当業者にとって明白なように、本発明の範囲に含まれている。
【図面の簡単な説明】
【図１】  トラスの軒線で一方の弦材を他方の弦材の中に逆さまに重ね合わせるように配置されたＺ形の同一断面を有する一対の弦材の垂直分解組み立て図である。
【図２】  ボルトとナットとの間に挟み込まれた結合部材を備えた上部及び下部弦材の水平分解組み立て図である。
【図３】  図２を組み立てた図である。
【図４】  図３の断面図である。
【図５】  図２から図４に記載された実施の形態における別の結合部材の斜視図である。
【図６】  図２から図４に記載された実施の形態におけるさらに別の結合部材の斜視図である。
【図７】  結合部材が上部弦材と下部弦材のそれぞれと２箇所で結合するよう配置されている本発明の第２の実施の形態の水平分解組立図である。
【図８】  図７を組み立てて、その一部の断面を示した断面図である。
【図９】  図７及び図８に記載された実施の形態における別の結合部材の斜視図である。
【図１０】  図７及び図８に記載された実施の形態におけるさらに別の結合部材の斜視図である。
【符号の説明】
１０、１０ｕ、１０ｌ  弦材
１２  ウエブ
１４  小フランジ
１６  大フランジ
１８  返し
２２  傾斜部
３０  結合部材
３２  頭部
３４  舌状部
３６  肩部
３８  プレス領域
４０、４２  開口部
４４  ボルト
４６  ナット
５０  スロット
【図１】
0004601883.tif 000002
【図２】
0004601883.tif 000003
【図３】
0004601883.tif 000004
【図４】
0004601883.tif 000005
【図５】
0004601883.tif 000006
【図６】
0004601883.tif 000007
【図７】
0004601883.tif 000008
【図８】
0004601883.tif 000009
【図９】
0004601883.tif 000010
【図１０】
0004601883.tif 000011